(57)【要約】【課題】  補助光を使用した撮影に際して近距離、遠距離いずれであっても良好な撮影が可能となるようにする。【解決手段】  放電管等からなる第１の補助光源４８と、白色発光ダイオード等の発光素子或いは白色電球からなる第２の補助光源４９とを備え、測光データにより補助光が必要か否かを判定して、補助光が必要な場合は測距時の距離データが所定距離以上か否かを判定し、所定測距以上であれば第１の補助光を選択し、所定距離未満であれば第２の補助光を選択する。【選択図】  図２
2005249960.tif 000002
【特許請求の範囲】
【請求項１】
測光手段と、
上記測光手段による測光データにより補助光が必要か否かを判定する判定手段と、
第１の補助光源と、
上記第１の補助光源とは異なる種類の光源で構成される第２の補助光源とを備え、
上記判定手段により補助光源が必要と判定された場合の撮影条件により選択的に上記第１の補助光源又は上記第２の補助光源の使用を切替える構成にしたことを特徴とする撮像装置。
【請求項２】
上記第１の補助光源は放電管を使用した補助光源であることを特徴とする請求項１に記載の撮像装置。
【請求項３】
上記第２の補助光源は上記第１の補助光源に対して輝度が低いこと特徴とする請求項１又は２に記載の撮像装置。
【請求項４】
上記第２の補助光源は一又は複数の発光素子で構成されることを特徴とする請求項１〜３のいずれか１項に記載の撮像装置。
【請求項５】
上記第２の補助光源は一又は複数の白色電球で構成されることを特徴とする請求項１〜３のいずれか１項に記載の撮像装置。
【請求項６】
上記第１の補助光源及び上記第２の補助光源を切替えることに応じて画像データの画像処理パラメータを変更することを特徴とする請求項１〜５のいずれか１項に記載の撮像装置。
【請求項７】
測距手段を備えるとともに、上記撮影条件とは上記測距手段の測距結果により決定し、上記測距手段の測距結果が所定距離以上では上記第１の補助光源に、所定距離未満では上記第２の補助光源に切替えることを特徴とする請求項１〜６のいずれか１項に記載の撮像装置。
【請求項８】
上記所定距離に対してより近い第２の所定距離を設定し、上記第２の所定距離未満では上記第２の補助光源の輝度を低減させることを特徴とする請求項７に記載の撮像装置。
【請求項９】
上記第２の補助光源の点灯時に合成された画角は上記第１の補助光源の画角と同じか広いことを特徴とする請求項１〜８のいずれか１項に記載の撮像装置。
【請求項１０】
上記第２の補助光源の発光部の位置は上記第１の補助光源の発光部の位置に対して撮影レンズに近いことを特徴とする請求項１〜９のいずれか１項に記載の撮像装置。
【請求項１１】
測光手段と、第１の補助光源と、上記第１の補助光源とは異なる種類の光源で構成される第２の補助光源とを備えた撮像装置での補助光使用方法であって、
上記撮像装置が有する判定手段により、上記測光手段による測光データにより補助光が必要か否かを判定する手順と、
上記撮像装置が有する切替手段により、補助光源が必要と判定された場合の撮影条件により選択的に上記第１の補助光源又は上記第２の補助光源の使用を切替える手順とを有することを特徴とする撮像装置での補助光使用方法。
【請求項１２】
測光手段と、第１の補助光源と、上記第１の補助光源とは異なる種類の光源で構成される第２の補助光源とを備えた撮像装置を制御するためのコンピュータプログラムであって、
上記測光手段による測光データにより補助光が必要か否かを判定する処理と、
補助光源が必要と判定された場合の撮影条件により選択的に上記第１の補助光源又は上記第２の補助光源の使用を切替える処理とをコンピュータに実行させることを特徴とするコンピュータプログラム。
【請求項１３】
請求項１２に記載のコンピュータプログラムを記録したことを特徴とするコンピュータ読み取り可能な記録媒体。
【発明の詳細な説明】
【技術分野】
【０００１】
本発明は、補助光を使用して撮像を行うことのできるカメラ等の撮像装置、撮像装置での補助光使用方法、コンピュータプログラム、及びコンピュータ読み取り可能な記録媒体に関する。
【背景技術】
【０００２】
従来のカメラや電子カメラでは、放電管を使用して補助光を用いるものが一般的であった。しかしながら、放電管の発光量は調光において閃光時間が短いほど光量や色温度バラツキが大きいため、距離の短い近接撮影等の場合には調光や色再現のバラツキが増す傾向があった。
【０００３】
また、特許文献１に開示されているように、白色発光ダイオードを使用して補助光に用いるものも知られている。
【０００４】
【特許文献１】特開２００２−２０７２３６号公報
【発明の開示】
【発明が解決しようとする課題】
【０００５】
しかしながら、白色発光ダイオードは放電管に比較して発光の安定性や色温度バラツキに対しては優れているものの、輝度が低いため遠距離まで撮影するためには光量不足となる。そのため、白色発光ダイオードの数量を多くするか、撮影の感度を上げたり、シャッタースピードを手ぶれ限界近くまで遅くしたりするか等しなければならず、撮影上の制約やコスト上の制約が生じてくる。
【０００６】
例えば高輝度タイプの白色発光ダイオードは一般的に3cd程度であり、大きいもので20cd程度である。ガイドナンバーは、以下のように示され、
GNo.=0.3√（４π×0.0045×ISO×Iｓ）
ISO;フィルム感度    Is;光量cdsec
3cd、ISO100、シャッタースピード；1/60秒ではGnNo.=0.16
ISO感度を800と上げ、シャッタースピードを1/30秒と遅くして20cdの高輝度品を使用したとしてGNo.=1.65程度であり、一般的にカメラに内蔵されるガイドナンバー10〜17（ISO100,ｍ）のものに対してまだ光量不足である。
【０００７】
本発明は上記のような点に鑑みてなされたものであり、補助光を使用した撮影に際して近距離、遠距離いずれであっても良好な撮影が可能となるようにすることを目的とする。
【課題を解決するための手段】
【０００８】
本発明の撮像装置は、測光手段と、上記測光手段による測光データにより補助光が必要か否かを判定する判定手段と、第１の補助光源と、上記第１の補助光源とは異なる種類の光源で構成される第２の補助光源とを備え、上記判定手段により補助光源が必要と判定された場合の撮影条件により選択的に上記第１の補助光源又は上記第２の補助光源の使用を切替える構成にした点に特徴を有する。
また、本発明の撮像装置の他の特徴とするところは、上記第１の補助光源は放電管を使用した補助光源である点にある。
また、本発明の撮像装置の他の特徴とするところは、上記第２の補助光源は上記第１の補助光源に対して輝度が低い点にある。
また、本発明の撮像装置の他の特徴とするところは、上記第２の補助光源は一又は複数の発光素子で構成される点にある。
また、本発明の撮像装置の他の特徴とするところは、上記第２の補助光源は一又は複数の白色電球で構成される点にある。
また、本発明の撮像装置の他の特徴とするところは、上記第１の補助光源及び上記第２の補助光源を切替えることに応じて画像データの画像処理パラメータを変更する点にある。
また、本発明の撮像装置の他の特徴とするところは、測距手段を備えるとともに、上記撮影条件とは上記測距手段の測距結果により決定し、上記測距手段の測距結果が所定距離以上では上記第１の補助光源に、所定距離未満では上記第２の補助光源に切替える点にある。この場合に、上記所定距離に対してより近い第２の所定距離を設定し、上記第２の所定距離未満では上記第２の補助光源の輝度を低減させるようにしてもよい。
また、本発明の撮像装置の他の特徴とするところは、上記第２の補助光源の点灯時に合成された画角は上記第１の補助光源の画角と同じか広い点にある。
また、本発明の撮像装置の他の特徴とするところは、上記第２の補助光源の発光部の位置は上記第１の補助光源の発光部の位置に対して撮影レンズに近い点にある。
本発明の撮像装置での補助光使用方法は、測光手段と、第１の補助光源と、上記第１の補助光源とは異なる種類の光源で構成される第２の補助光源とを備えた撮像装置での補助光使用方法であって、上記撮像装置が有する判定手段により、上記測光手段による測光データにより補助光が必要か否かを判定する手順と、上記撮像装置が有する切替手段により、補助光源が必要と判定された場合の撮影条件により選択的に上記第１の補助光源又は上記第２の補助光源の使用を切替える手順とを有する点に特徴を有する。
本発明のコンピュータプログラムは、測光手段と、第１の補助光源と、上記第１の補助光源とは異なる種類の光源で構成される第２の補助光源とを備えた撮像装置を制御するためのコンピュータプログラムであって、上記測光手段による測光データにより補助光が必要か否かを判定する処理と、補助光源が必要と判定された場合の撮影条件により選択的に上記第１の補助光源又は上記第２の補助光源の使用を切替える処理とをコンピュータに実行させる点に特徴を有する。
本発明のコンピュータ読み取り可能な記録媒体は、本発明のコンピュータプログラムを記録した点に特徴を有する。
【発明の効果】
【０００９】
本発明によれば、選択的に第１の補助光源又は第２の補助光源の使用を切替ることができるので、例えば近距離では発光の安定性や色温度バラツキに優れた白色発光ダイオード等の光源を使用するとともに、遠距離では放電管等を使用して光量不足とならないようにすることができ、補助光を使用した撮影に際して近距離、遠距離いずれであっても良好な撮影が可能となる。
【発明を実施するための最良の形態】
【００１０】
以下、添付図面を参照して、本発明の好適な実施形態について説明する。
図１は本発明を適用した実施形態のカメラの外観図であり、４０１はカメラ本体、４０２は放電管等からなる第１の補助光源、４０３〜４０５は白色発光ダイオード等の発光素子或いは白色電球からなる第２の補助光源、４０６はシャッタースイッチであるレリーズ釦、４０７は撮影レンズである。
【００１１】
第２の補助光源４０３〜４０５は撮影レンズ４０７付近に配置され、ここでは発光素子が各２個の組み合わせで撮影レンズ４０７の周辺に３箇所に配置されている。第２の補助光源４０３〜４０５はより近い部分を照明するため撮影レンズ４０７にけられないように第１の補助光源４０２に対して内側に配置され、照射角度も同じかより広くなるよう配置されている。
【００１２】
図２は本実施形態のカメラの構成を示すブロック図である。同図において、１００はカメラ、１０は撮影レンズ及びフォーカスレンズを含む光学系、１２は絞り機能を備えるシャッター、１４は光学像を電気信号に変換する撮像素子、１６は撮像素子１４のアナログ信号出力をディジタル信号に変換するＡ/Ｄ変換器である。
【００１３】
１８はタイミング発生回路であり、撮像素子１４、Ａ/Ｄ変換器１６、及び後述するＤ/Ａ変換器２６にクロック信号や制御信号を供給するもので、メモリ制御回路２２及びシステム制御回路５０により制御される。
【００１４】
２０は画像処理回路であり、Ａ/Ｄ変換器１６からのデータ或いはメモリ制御回路２２からのデータに対して所定の画素補間処理や色変換処理を行う。また、画像処理回路２０においては、撮像した画像データを用いて所定の演算処理を行い、得られた演算結果に基づいてシステム制御回路５０が露光制御手段４０、測距制御手段４２に対して制御を行う、所謂ＡＦ（オートフォーカス）処理、ＡＥ（自動露出）処理、ＥＦ（補助光プリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１５】
２２はメモリ制御回路であり、Ａ/Ｄ変換器１６、タイミング発生回路１８、画像処理回路２０、画像表示メモリ２４、Ｄ/Ａ変換器２６、メモリ３０、圧縮・伸長回路３２を制御する。Ａ/Ｄ変換器１６のデータが画像処理回路２０、メモリ制御回路２２を介して、或いはＡ/Ｄ変換器１６のデータが直接メモリ制御回路２２を介して、画像表示メモリ２４或いはメモリ３０に書き込まれる。
【００１６】
２４は画像表示メモリ、２６はＤ/Ａ変換器、２８はＴＦＴ ＬＣＤ等からなる画像表示部であり、画像表示メモリ２４に書き込まれた表示用の画像データはＤ/Ａ変換器２６を介して画像表示部２８により表示される。画像表示部２８を用いて撮像した画像データを逐次表示すれば、電子ファインダ機能を実現することが可能である。また、画像表示部２８は、システム制御回路５０の指示により任意に表示をＯＮ/ＯＦＦすることが可能であり、表示をＯＦＦにした場合にはカメラ１００の電力消費を大幅に低減することができる。
【００１７】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１９】
４０は露光制御手段で、絞り機能を備えるシャッター１２を制御し、第１の補助光４８又は第２の補助光源４９と連携することにより補助光の調光機能も有するものである。４７は第１の補助光源４８又は第２の補助光源４９を点灯させるための電源を与える充電制御回路である。
【００２０】
４２は撮影光学系１０のフォーカシングを制御する測距制御手段、４１は撮影光学系１０のフォーカシングレンズの位置を検出するレンズ位置検出手段でフォトインタラプタ等によりレンズ位置を検出している。４４はズーミングを制御するズーム制御手段、４６はバリアである保護手段１０２の動作を制御するバリア制御手段である。
【００２１】
４８は第１の補助光源（図１の第１の補助光源４０２に相当）、４９は第２の補助光源（図１の第２の補助光源４０３〜４０５に相当）であり、ＡＦ補助光の投光機能、補助光の調光機能もそれぞれ有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００２２】
５０はカメラ１００全体を制御するシステム制御回路、５２はシステム制御回路５０の動作用の定数、変数、プログラム等を記憶するメモリである。
【００２３】
５４はシステム制御回路５０でのプログラムの実行に応じて、文字、画像、音声等を用いて作動状態やメッセージ等を表示する液晶表示装置、スピーカ等の表示部であり、カメラ１００の操作部近辺の視認し易い位置に単数或いは複数個所設置され、例えばＬＣＤやＬＥＤ、発音素子等の組み合わせにより構成されている。また、表示部５４は、その一部の機能が光学ファインダ１０４内に設置されている。表示部５４の表示内容のうち、ＬＣＤ等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、補助光表示、赤目補正表示、マクロ撮影表示、ブザー設定表示、時計用電池残量表示、電池残量表示、エラー表示、複数桁の数字による情報表示、記録媒体２００及び２１０の着脱状態表示、通信Ｉ/Ｆ動作表示、日付け・時刻表示等がある。また、表示部５４の表示内容のうち、光学ファインダ１０４内に表示するものとしては、合焦表示、手振れ警告表示、補助光充電表示、シャッタースピード表示、絞り値表示、露出補正表示等がある。
【００２４】
５６は電気的に消去・記録可能な不揮発性メモリであり、例えばＥＥＰＲＯＭ等が用いられる。
【００２５】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２６】
ここで、これらの操作手段の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００２７】
６２はシャッタースイッチSW1で、図１のシャッターボタン４０６の操作途中でＯＮとなり、ＡＦ（オートフォーカス）処理、ＡＥ（自動露出）処理、ＡＷＢ（オートホワイトバランス）処理、ＥＦ（補助光プリ発光）処理等の動作開始を指示する。
【００２８】
６４はシャッタースイッチSW2で、図１のシャッターボタン４０６の操作完了でＯＮとなり、撮像素子１４から読み出した信号をＡ/Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２９】
６６は画像表示ＯＮ/ＯＦＦスイッチで、画像表示部２８のＯＮ/ＯＦＦを設定することができる。この機能により、光学ファインダ１０４を用いて撮影を行う際に、ＴＦＴ ＬＣＤ等からなる画像表示部への電流供給を遮断することにより、省電力を図ることが可能となる。
【００３０】
６８はクイックレビューＯＮ/ＯＦＦスイッチで、撮影直後に撮影した画像データを自動再生するクイックレビュー機能を設定する。尚、本実施形態では特に、画像表示部２８をＯＦＦとした場合におけるクイックレビュー機能の設定をする機能を備えるものとする。
【００３１】
７０は各種ボタンやタッチパネル等からなる操作部で、メニューボタン、セットボタン、マクロボタン、マルチ画面再生改ページボタン、補助光設定ボタン、赤目補正ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００３２】
８０は電源制御手段で、電池検出回路、ＤＣ−ＤＣコンバータ、通電するブロックを切替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。
【００３３】
８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００３４】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているかを検知する記録媒体着脱検知手段である。尚、本例では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（Ｒ））カード等の規格に準拠したものを用いて構成して構わない。さらに、インターフェース９０及び９４、そしてコネクタ９２及び９６をＰＣＭＣＩＡカードやＣＦ（コンパクトフラッシュ（Ｒ））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード等の各種通信カードを接続することにより、他のコンピュータやプリンタ等の周辺機器との間で画像データや画像データに付属した管理情報を転送し合うことができる。
【００３５】
１０２はバリアである保護手段であり、カメラ１００のレンズ１０を含む撮像部を覆うことにより、撮像部の汚れや破損を防止する。
【００３６】
１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、補助光充電表示、シャッタースピード表示、絞り値表示、露出補正表示等が設置されている。
【００３７】
１１０は通信手段で、ＲＳ２３２ＣやＵＳＢ、ＩＥＥＥ１３９４、Ｐ１２８４、ＳＣＳＩ、モデム、ＬＡＮ、無線通信等の各種通信機能を有する。１１２は通信手段１１０によりカメラ１００を他の機器と接続するコネクタ或いは無線通信の場合はアンテナである。
【００３８】
２００はメモリカードやハードディスク等の記録媒体である。記録媒体２００は、半導体メモリや磁気ディスク等から構成される記録部２０２、カメラ１００とのインターフェース２０４、カメラ１００と接続を行うコネクタ２０６を備えている。
【００３９】
２１０はメモリカードやハードディスク等の記録媒体である。記録媒体２１０は、半導体メモリや磁気ディスク等から構成される記録部２１２、カメラ１００とのインターフェース２１４、カメラ１００と接続を行うコネクタ２１６を備えている。
【００４０】
図３及び図４は、本実施形態のカメラ１００の主ルーチンを示すフローチャートである。電池交換等の電源投入により、システム制御回路５０はフラグや制御変数等を初期化し（Ｓ１０１）、画像表示部２８の画像表示をＯＦＦ状態に初期設定する（Ｓ１０２）。
【００４１】
システム制御回路５０は、モードダイアル６０の設定状態を判定し、モードダイアル６０が電源ＯＦＦに設定されていたならば（Ｓ１０３）、各表示部の表示を終了状態に変更し、保護手段１０２のバリアを閉じて撮像部を保護し、フラグや制御変数等を含む必要なパラメータや設定値、設定モードを不揮発性メモリ５６に記録し、電源制御手段８０により画像表示部２８を含むカメラ１００各部の不要な電源を遮断する等の所定の終了処理を行った後（Ｓ１０５）、Ｓ１０３に戻る。モードダイアル６０が撮影モードに設定されていたならば（Ｓ１０３）、Ｓ１０６に進む。モードダイアル６０がその他のモードに設定されていたならば（Ｓ１０３）、システム制御回路５０は選択されたモードに応じた処理を実行し（Ｓ１０４）、処理を終えたならばＳ１０３に戻る。
【００４２】
システム制御回路５０は、電源制御手段８０により電池等により構成される電源８６の残容量や動作情況がカメラ１００の動作に問題があるか否かを判定し（Ｓ１０６）、問題があるならば表示部５４を用いて画像や音声により所定の警告表示を行った後に（Ｓ１０８）、Ｓ１０３に戻る。
【００４３】
バッテリーチェックを行い電源８６に問題が無いならば（Ｓ１０６）、システム制御回路５０は記録媒体２００或いは２１０の動作状態がカメラ１００の動作、特に記録媒体に対する画像データの記録再生動作に問題があるか否かを判定し（Ｓ１０７）、問題があるならば表示部５４を用いて画像や音声により所定の警告表示を行った後に（Ｓ１０８）、Ｓ１０３に戻る。
【００４４】
記録媒体２００或いは２１０の動作状態に問題が無いならば（Ｓ１０７）、表示部５４を用いて画像や音声によりカメラ１００の各種設定状態の表示を行う（Ｓ１０９）。尚、画像表示部２８の画像表示がＯＮであったならば、画像表示部２８も用いて画像や音声によりカメラ１００の各種設定状態の表示を行う。
【００４５】
システム制御回路５０は、クイックレビューＯＮ/ＯＦＦスイッチ６８の設定状態を調べ（Ｓ１１０）、クイックレビューＯＮに設定されていたならばクイックレビューフラグを設定し（Ｓ１１１）、クイックレビューＯＦＦに設定されていたならばクイックレビューフラグを解除する（Ｓ１１２）。尚、クイックレビューフラグの状態は、システム制御回路５０の内部メモリ或いはメモリ５２に記憶する。
【００４６】
続いて、システム制御回路５０は、画像表示ＯＮ/ＯＦＦスイッチ６６の設定状態を調べ（Ｓ１１３）、画像表示ＯＮに設定されていたならば、画像表示フラグを設定すると共に（Ｓ１１４）、画像表示部２８の画像表示をＯＮ状態に設定し（Ｓ１１５）、さらに撮像した画像データを逐次表示するスルー表示状態に設定して（Ｓ１１６）、Ｓ１１９に進む。スルー表示状態に於いては、撮像素子１４、Ａ/Ｄ変換器１６、画像処理回路２０、メモリ制御回路２２を介して、画像表示メモリ２４に逐次書き込まれたデータを、メモリ制御回路２２、Ｄ/Ａ変換器２６を介して画像表示部２８により逐次表示することにより、電子ファインダ機能を実現している。
【００４７】
画像表示ＯＮ/ＯＦＦスイッチ６６が画像表示ＯＦＦに設定されていたならば（Ｓ１１３）、画像表示フラグを解除すると共に（Ｓ１１７）、画像表示部２８の画像表示をＯＦＦ状態に設定して（Ｓ１１８）、Ｓ１１９に進む。画像表示ＯＦＦの場合は、画像表示部２８による電子ファインダ機能を使用せず、光学ファインダ１０４を用いて撮影を行う。この場合、電力消費量の大きい画像表示部２８やＤ/Ａ変換器２６等の消費電力を削減することが可能となる。尚、画像表示フラグの状態は、システム制御回路５０の内部メモリ或いはメモリ５２に記憶する。
【００４８】
シャッタースイッチSW1が押されていないならば（Ｓ１１９）、Ｓ１０３に戻る。シャッタースイッチSW1が押されたならば（Ｓ１１９）、システム制御回路５０はシステム制御回路５０の内部メモリ或いはメモリ５２に記憶される画像表示フラグの状態を判定し（Ｓ１２０）、画像表示フラグが設定されていたならば画像表示部２８の表示状態をフリーズ表示状態に設定して（Ｓ１２１）、Ｓ１２２に進む。
【００４９】
フリーズ表示状態に於いては、撮像素子１４、Ａ/Ｄ変換器１６、画像処理回路２０、メモリ制御回路２２を介した画像表示メモリ２４の画像データ書き換えを禁止し、最後に書き込まれた画像データを、メモリ制御回路２２、Ｄ/Ａ変換器２６を介して画像表示部２８により表示することにより、フリーズした映像を電子ファインダに表示している。
画像表示フラグが解除されていたならば（Ｓ１２０）、Ｓ１２２に進む。
【００５０】
システム制御回路５０は、測距処理を行って撮影レンズ１０の焦点を被写体に合わせ、測光処理を行って絞り値及びシャッター時間を決定する（Ｓ１２２）。測光処理に於いて、必要であれば補助光の設定も行う。この測光・測距処理Ｓ１２２の詳細は図５を用いて後述する。
【００５１】
測距・測光処理Ｓ１２２を終えたならば、システム制御回路５０はシステム制御回路５０の内部メモリ或いはメモリ５２に記憶される画像表示フラグの状態を判定し（Ｓ１２３）、画像表示フラグが設定されていたならば画像表示部２８の表示状態をスルー表示状態に設定して（Ｓ１２４）、Ｓ１２５に進む。尚、Ｓ１２４でのスルー表示状態は、Ｓ１１６でのスルー状態と同じ動作状態である。
【００５２】
シャッタースイッチSW2が押されずに（Ｓ１２５）、さらにシャッタースイッチSW1も解除されたならば（Ｓ１２６）、Ｓ１０３に戻る。シャッタースイッチSW2が押されたならば（Ｓ１２５）、システム制御回路５０はシステム制御回路５０の内部メモリ或いはメモリ５２に記憶される画像表示フラグの状態を判定し（Ｓ１２７）、画像表示フラグが設定されていたならば画像表示部２８の表示状態を固定色表示状態に設定して（Ｓ１２８）、Ｓ１２９に進む。
【００５３】
固定色表示状態に於いては、撮像素子１４、Ａ/Ｄ変換器１６、画像処理回路２０、メモリ制御回路２２を介して画像表示メモリ２４に書き込まれた撮影画像データの代わりに、差し替えた固定色の画像データを、メモリ制御回路２２、Ｄ/Ａ変換器２６を介して画像表示部２８により表示することにより、固定色の映像を電子ファインダに表示している。
画像表示フラグが解除されていたならば（Ｓ１２７）、Ｓ１２９に進む。
【００５４】
システム制御回路５０は、撮像素子１４、Ａ/Ｄ変換器１６、画像処理回路２０、メモリ制御回路２２を介して、或いはＡ/Ｄ変換器から直接メモリ制御回路２２を介して、メモリ３０に撮影した画像データを書き込む露光処理、及び、メモリ制御回路２２そして必要に応じて画像処理回路２０を用いて、メモリ３０に書き込まれた画像データを読み出して各種処理を行う現像処理からなる撮影処理を実行する（Ｓ１２９）。この撮影処理Ｓ１２９の詳細は図７を用いて後述する。
【００５５】
システム制御回路５０は、システム制御回路５０の内部メモリ或いはメモリ５２に記憶される画像表示フラグの状態を判定し（Ｓ１３０）、画像表示フラグが設定されていたならばクイックレビュー表示を行う（Ｓ１３３）。この場合は、撮影中も画像表示部２８が電子ファインダとして常に表示された状態であり、撮影直後のクイックレビュー表示も行われる。
【００５６】
画像表示フラグが解除されていたならば（Ｓ１３０）、システム制御回路５０の内部メモリ或いはメモリ５２に記憶されるクイックレビューフラグの状態を判定し（Ｓ１３１）、クイックレビューフラグが設定されていたならば、画像表示部２８の画像表示をＯＮ状態に設定し（Ｓ１３２）、クイックレビュー表示を行う（Ｓ１３３）。
【００５７】
画像表示フラグが解除され（Ｓ１３０）、クイックレビューフラグも解除されていたならば（Ｓ１３１）、画像表示部２８がＯＦＦの状態のままＳ１３４に進む。この場合は、撮影を行った後でも画像表示部２８は消えたままであり、クイックレビュー表示も行われない。これは、光学ファインダ１０４を用いて撮影を続ける場合のように、撮影直後の撮影画像の確認が不要で、画像表示部２８の電子ファインダ機能を使用せずに省電力を重視する使用方法である。
【００５８】
システム制御回路５０は、メモリ３０に書き込まれた撮影画像データを読み出して、メモリ制御回路２２そして必要に応じて画像処理回路２０を用いて各種画像処理を、また、圧縮・伸長回路３２を用いて設定したモードに応じた画像圧縮処理を行った後、記録媒体２００或いは２１０へ画像データの書き込みを行う記録処理を実行する（Ｓ１３４）。この記録処理Ｓ１３４の詳細は図８を用いて後述する。
【００５９】
記録処理Ｓ１３４が終了した際に、シャッタースイッチSW2が押された状態であったならば（Ｓ１３５）、システム制御回路５０はシステム制御回路５０の内部メモリ或いはメモリ５２に記憶される連写フラグの状態を判定し（Ｓ１３６）、連写フラグが設定されていたならば、連続して撮影を行うためにＳ１２９に戻り、次の撮影を行う。連写フラグが設定されていないならば（Ｓ１３６）、シャッタースイッチSW2が放されるまで（Ｓ１３５）、現在の処理を繰り返す。
【００６０】
記録処理Ｓ１３４が終了した際にシャッタースイッチSW2が放された状態であった、或いは、シャッタースイッチSW2を押し続けてクイックレビュー表示を継続して撮影画像の確認を行った後にシャッタースイッチSW2を放した状態であったならば（Ｓ１３５）、所定のミニマムレビュー時間が経過した後にＳ１３８に進む（Ｓ１３７）。
【００６１】
システム制御回路５０は、画像表示フラグが設定されていたならば（Ｓ１３８）、画像表示部２８の表示状態をスルー表示状態に設定して（Ｓ１３９）、Ｓ１４１に進む。この場合、画像表示部２８でのクイックレビュー表示によって撮影画像を確認した後に、次の撮影のために撮像した画像データを逐次表示するスルー表示状態にすることができる。
【００６２】
画像表示フラグが解除されていたならば（Ｓ１３８）、画像表示部２８の画像表示をＯＦＦ状態に設定して（Ｓ１４０）、Ｓ１４１に進む。この場合、画像表示部２８でのクイックレビュー表示によって撮影画像を確認した後に、省電力のために画像表示部２８の機能を停止して、電力消費量の大きい画像表示部２８やＤ/Ａ変換器２６等の消費電力を削減することが可能となる。
【００６３】
シャッタースイッチSW1が押された状態であったならば（Ｓ１４１）、システム制御回路５０は、Ｓ１２５に戻って次の撮影に備える。シャッタースイッチSW1が放された状態であったならば（Ｓ１４１）、システム制御回路５０は、一連の撮影動作を終えてＳ１０３に戻る。
【００６４】
図５及び図６は、図４のＳ１２２における測距・測光処理の詳細なフローチャートを示す。システム制御回路５０は、撮像素子１４から電荷信号を読み出し、Ａ/Ｄ変換器１６を介して画像処理回路２０に撮影画像データを逐次読み込む（Ｓ２０１）。この逐次読み込まれた画像データを用いて、画像処理回路２０はＴＴＬ（スルー・ザ・レンズ）方式のＡＥ（自動露出）処理、ＥＦ（補助光プリ発光）処理、ＡＦ（オートフォーカス）処理に用いる所定の演算を行っている。
【００６５】
尚、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００６６】
図５及び図６のフローチャートにより測距・測光処理を説明すれば、画像処理回路２０での演算結果を用いて、システム制御回路５０は露出（ＡＥ）が適正と判定されるまで（Ｓ２０２）、露光制御手段４０を用いてＡＥ制御を行う（Ｓ２０３）。
【００６７】
ＡＥ制御で得られた測定データを用いて、システム制御回路５０は補助光が必要か否かを判定し（Ｓ２０４）、補助光が必要ならば補助光フラグをセットし、充電制御回路４７により第１の補助光源４８又は第２の補助光源４９を点灯させるためのエネルギーの充電を行う（Ｓ２０５）。充電制御回路の動作に関しては図９、図１１を用いて後述する。
【００６８】
露出（ＡＥ）が適正と判定したならば（Ｓ２０２）、測定データ及び或いは設定パラメータをシステム制御回路５０の内部メモリ或いはメモリ５２に記憶する。
【００６９】
画像処理回路２０での演算結果及びＡＥ制御で得られた測定データを用いて、システム制御回路５０はホワイトバランス（ＡＷＢ）が適正と判定されるまで（Ｓ２０６）、画像処理回路２０を用いて色処理のパラメータを調節してＡＷＢ制御を行う（Ｓ２０７）。
【００７０】
ホワイトバランス（ＡＷＢ）が適正と判定したならば（Ｓ２０６）、測定データ及び或いは設定パラメータをシステム制御回路５０の内部メモリ或いはメモリ５２に記憶する。
【００７１】
ＡＥ制御及びＡＷＢ制御で得られた測定データを用いて、システム制御回路５０は測距（ＡＦ）が合焦と判定されるまで（Ｓ２０８）、測距制御手段４２を用いてＡＦ制御を行う（Ｓ２０９）。
【００７２】
測距（ＡＦ）が合焦距離と判定したならば（Ｓ２０８）、距離データ及び或いは設定パラメータをシステム制御回路５０の内部メモリ或いはメモリ５２に記憶し、測距・測光処理ルーチンＳ１２２を終了する。
【００７３】
次に、図６のフローチャートにより測距処理を説明すれば、ここでは先ずシステム制御回路５０は、撮像素子１４から電荷信号を読み出し、Ａ/Ｄ変換器１６を介して画像処理回路２０に測距画像データを読み込む（Ｓ５０１）。画像処理回路２０の画像データのコントラスト成分を抽出し（Ｓ５０２）測距評価用データとしてシステム制御回路５０の内部メモリ或いはメモリ５２へ記憶する（S５０３）。
【００７４】
次に、フォーカス制御回路４２をシステム制御回路５０を介して制御し所定方向へフォーカスレンズを微小駆動させる（Ｓ５０４）。フォーカスレンズが微小駆動した後の画像データをシステム制御回路５０を介して、撮像素子１４から電荷信号を読み出し、Ａ/Ｄ変換器１６を介して画像処理回路２０に撮影画像データを読み込む（Ｓ５０５）。
【００７５】
そして、同様に画像データのコントラスト成分を抽出する（Ｓ５０６）。前回のシステム制御回路５０の内部メモリ或いはメモリ５２に記録されたコントラスト成分データと新たに得られた画像データのコントラスト成分値の比較を行い（Ｓ５０７）、コントラスト成分が増加傾向に有ればこの抽出されたコントラストデータを保存し（Ｓ５０９）、減少すればフォーカス駆動制御回路４２をシステム制御回路５０を介してフォーカスレンズの移動方向を逆転するよう設定し（Ｓ５０８）、システム制御回路５０の内部メモリ或いはメモリ５２に記憶されたコントラスト成分データを最新データに置き換える（Ｓ５０９）。
【００７６】
そして、Ｓ５１０に進み、コントラスト成分データによる評価で合焦レベルにあればＳ５１１へ、合焦していなければＳ５０４へ戻る。この動作を繰り返し合焦するまで行なわれる。合焦すると、光学系１０内のフォーカスレンズを駆動するフォーカス制御回路４２を、システム制御回路５０を介して停止させて（Ｓ５１１）、距離データを得て測距処理のルーチンを終了しＳ２０１に戻る。
【００７７】
図１０には縦軸にコントラスト成分、横軸に距離を示す。フォーカスレンズ初期位置ａからコントラスト成分が増加している方向、ここでは無限方向にフォーカスレンズを駆動している。コントラスト成分ピーク点ｃはその前後の距離ｄ又はｂでコントラスト成分が減少することで移動方向を逆転して合焦レベルに至る。
【００７８】
図７は、図４のＳ１２９における撮影処理の詳細なフローチャートを示す。システム制御回路５０は、システム制御回路５０の内部メモリ或いはメモリ５２に記憶される測光データに従い、露光制御手段４０によって、絞り機能を有するシャッター１２を絞り値に応じて開放して撮像素子１４を露光する（Ｓ３０１、Ｓ３０２）。
【００７９】
補助光フラグにより第１の補助光又は第２の補助光が必要か否かを判定し（Ｓ３０３）、必要な場合は測距時の距離データが所定距離以上か否かを判定し（Ｓ３０４）、所定測距以上であれば第１の補助光を選択し（Ｓ３０５）、所定距離未満であれば第２の補助光を選択する（Ｓ３０６）。第２の補助光が選択されると、前記の所定距離より短い第２の所定距離以上か否かを判定し（Ｓ３０７）、第２の所定距離以上であればＳ３０９に移行する。
【００８０】
第２の所定距離未満であれば、後述する図９に示す定電流駆動回路の電流を減少するよう設定し（Ｓ３０８）、Ｓ３０９に移行する。Ｓ３０９では補助光を発光させる。第１の補助光であれば、システム制御回路５０から図９で示した接続端子Ｅに信号を与え、トリガ回路３１５を作動させて放電管３１４のトリガ電極にトリガ電位を与え、コンデンサ３１３の電荷により放電管３１４を発光させる。第２の補助光であれば、システム制御回路５０から接続端子Ｆを介して発光駆動信号が与えられる。このときの光量は測距の距離データ、絞りデータ等により演算され、各々の光源４８、４９の点灯時間に変換して制御される。各々の光量はそれぞれ接続端子Ｆ、接続端子Ｄを介して、この時間、定電流駆動回路３２３又は放電制御回路３２６を導通制御することで調整される。
【００８１】
システム制御回路５０は、測光データに従って撮像素子１４の露光終了を待ち（Ｓ３１０）、シャッター１２を閉じて（Ｓ３１１）、撮像素子１４から電荷信号を読み出し、Ａ/Ｄ変換器１６、画像処理回路２０、メモリ制御回路２２を介して、或いはＡ/Ｄ変換器１６から直接メモリ制御回路２２を介して、メモリ３０に撮影画像のデータを書き込み（Ｓ３１２）、Ｓ３１３へ移行する。
【００８２】
設定された撮影モードに応じて、フレーム処理を行う必要があるならば（Ｓ３１３）、システム制御回路５０は、メモリ制御回路２２そして必要に応じて画像処理回路２０を用いて、メモリ３０に書き込まれた画像データを読み出して垂直加算処理や（Ｓ３１４）、色処理（Ｓ３１５）を順次行った後、メモリ３０に処理を終えた画像データを書き込む。
【００８３】
システム制御回路５０は、メモリ３０から画像データを読み出し、メモリ制御回路２２を介して画像表示メモリ２４に表示画像データの転送を行う（Ｓ３１６）。一連の処理を終えたならば、撮影処理ルーチンＳ１２９を終了する。
【００８４】
図８は、図４のＳ１３４における記録処理の詳細なフローチャートを示す。システム制御回路５０は、メモリ制御回路２２そして必要に応じて画像処理回路２０を用いて、メモリ３０に書き込まれた撮影画像データを読み出して撮像素子１４の縦横画素比率を１：１に補間する画素正方化処理を行った後（Ｓ４０１）、メモリ３０に処理を終えた画像データを書き込む。
【００８５】
そして、メモリ３０に書き込まれた画像データを読み出して、設定したモードに応じた画像圧縮処理を圧縮・伸長回路３２により行った後（Ｓ４０２）、インターフェース９０或いは９４、コネクタ９２或いは９６を介して、メモリカードやコンパクトフラッシュ（Ｒ）カード等の記録媒体２００或いは２１０へ圧縮した画像データの書き込みを行う（Ｓ４０３）。記録媒体への書き込みが終わったならば、記録処理ルーチンＳ１３４を終了する。
【００８６】
図１１は、図５のＳ２０５における補助光電源充電処理の詳細なフローチャートを示す。図９は充電制御回路４７、第１の補助光源４８及び第２の補助光源４９の回路構成例を示すブロック図であり、３０１は電池、３０２は電源コンデンサ、３０３はトランス、３０４はＦＥＴで示したスイッチ素子である。電池３０１と電源コンデンサ３０２は並列に接続され、この電荷がトランス３０３の１次巻線及びスイッチ素子３０４を介して流れるように接続される。３０５は抵抗であり、ＦＥＴ３０４の制御端子のプルダウン抵抗である。トランス３０３の２次巻線は充電切替スイッチ３１２へ接続される。
【００８７】
３１３、３１６はコンデンサであり、切替スイッチ３１２に接続されトランスの２次巻線への接続を切替られるよう接続される。３０６はダイオード、３０７は抵抗、３０８はトランジスタ、３０９、３１０は抵抗である。ダイオード３０６はトランスの２次巻線のもう一方に接続され抵抗３０７を介して電池３０１、コンデンサ３１３、３１６の負極に接続される。抵抗３０７両端子にはトランジスタ３０８のベース、エミッタが接続される。トランジスタ３０８のコレクタは抵抗３０９、３１０を介して電源Ｖｃｃに接続される。
【００８８】
３１１は電圧検出回路であり、切替スイッチ３１２で接続されるコンデンサ３１３或いは３１６の電圧を検出するように接続されている。３１４は第１の補助光源４８である放電管であり、ＩＧＢＴ等で構成される発光制御回路３２６を介してコンデンサ３１３と並列に接続される。３１５はトリガ回路であり、放電管３１４のトリガ電極に接続される。３１７〜３２２は第２の補助光源４９である白色発光ダイオードであり、定電流ドライバ３２３に接続される。
【００８９】
３２４は所定時間のパルスを発生するパルス回路であり、出力がスイッチ素子の制御電極に接続される。３２５はパルス起動回路であり、抵抗３０９と３１０の中点に入力が接続され、出力端はパルス回路３２４に接続される。接続端子Ａ，Ｂ，Ｃ，Ｄ，Ｅ，Ｆはシステム制御回路５０との接続端子である。
【００９０】
以下、図１１のフローチャートに従って充電制御回路４７、第１の補助光源４８及び第２の補助光源４９の回路における処理動作について説明する。システム制御回路５０から補助光電源の昇圧開始信号が接続端子Ａを介してパルス発生回路３２４に与えられると、パルス発生回路３２４はこの昇圧開始信号により所定時間の信号をスイッチ素子３０４の制御電極に与える。これにより、スイッチ素子３０４は導通し、電池３０１よりトランス３０３の１次巻線を介して電流が流れる。本実施形態では、フライバックコンバータ構成であり、１次電流が流れている場合には２次巻線に発生する誘起電圧はダイオード３１６に阻止される極性となっている。
【００９１】
パルス発生回路３２４が所定時間後にパルス発生を停止すると、スイッチ素子３０４が非導通状態となるため１次電流が停止し、トランス３０３の２次巻線から切替スイッチ３１２、コンデンサ３１６、抵抗３０７、及びトランジスタ３０８のベースからエミッタ、ダイオード３０６を介して電流が流れる。
【００９２】
この電流によりコンデンサ３１６は充電され電位が上昇する。２次巻線に電流が流れている間、トランジスタ３０８のベース電流が流れるためトランジスタ３０８は導通し、Ｖｃｃから抵抗３０９、３１０に電流が流れる。抵抗３１０は抵抗３０９に対して小さく設定されており、電池３０１の負極に対してトランジスタ３０８のコレクタ電位が負電位となるため、抵抗３０９、３１０の中点の電位が負電位とならないようしている。したがって、２次巻線の電流が流れているときは、抵抗３０９、３１０の中点電位はロウレベルとなり電流パルス起動回路３２５に入力される。
【００９３】
トランス３０３の２次電流の放出が終了すると、トランジスタ３０８はベース電流がないため停止し、抵抗３０９、３１０の中点電位はハイレベルとなる。パルス起動回路３２５はこの立上り信号によりパルス発生回路３２４に信号を与え、パルス発生回路３２４は再び所定時間のスイッチ素子３０４の駆動信号を与え、これを繰り返すことでコンデンサ３１６は充電される（Ｓ６０１）。
【００９４】
この充電電圧は電圧検出回路３１１により分圧されて接続端子Ｂを介してシステム制御回路５０のＡ／Ｄコンバータに与えられ、検出される。昇圧を開始させると、コンデンサ３１６の電位を接続端子Ｂを介して検出し、所定電圧になるまで昇圧を行う（Ｓ６０２）。所定電圧となると（Ｓ６０２）、システム制御回路５０から接続端子Ｃを介して制御信号が与えられ、スイッチ切替回路３１２は切替わり(Ｓ６０３)、コンデンサ３１３に接続して、コンデンサ３１３の昇圧が行なわれる。コンデンサ３１３が所定電圧となると（Ｓ６０４）、システム制御回路５０から接続端子Ａに与えていた信号を停止させ、発振を終了する（Ｓ６０５）。
【００９５】
以上、本発明を種々の実施形態とともに説明したが、本発明はこれらの実施形態にのみ限定されるものではなく、本発明の範囲内で変更等が可能である。例えば、上記実施形態では、測距手法として所謂山登り方式を説明したが、距離データが得られるものであれば、それ以外の方式、例えばアクティブ測距方式等であっても構わない。
【００９６】
また、上記実施形態では、距離データ、絞り及び撮影感度により予め光量を設定し照明したが、外部からの反射光を受光して光量を制御する外測式の調光であっても構わない。
【００９７】
また、第１の補助光源４８は遠距離被写体用のため赤目が出にくくするために比較的距離の短い照明用の第２の補助光源４９よりも外側に設けた。
【００９８】
尚、光源色が異なる場合には、図７のＳ３０５、Ｓ３０６で光源を設定する時点で光源色に合わせた色温度補整を行ってもよい。
【００９９】
また、上記実施形態では距離データを複数段階設定し、第１の補助光源４８又は第２の補助光源４９に切替える所定距離よりも短い第２の所定距離を設定し、この距離よりも短い場合に第２の補助光の電流を減少させることで輝度を減少させ、省エネルギーと制御性の向上を図っている。
【０１００】
また、複数の白色発光ダイオード３１７〜３２２を直列にコンデンサ３１６を電源として点灯させたが、電池や昇圧された電源から白色発光ダイオードを並列駆動するようにしても良い。
【０１０１】
尚、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【０１０２】
この場合、記憶媒体から読み出されたプログラムコード自体が上述した実施形態の機能を実現することになり、プログラムコード自体及びそのプログラムコードを記憶した記憶媒体は本発明を構成することになる。
【０１０３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【０１０４】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【０１０５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【０１０６】
【図１】本実施形態のカメラの外観図である。
【図２】本実施形態のカメラの構成を示すブロック図である。
【図３】本実施形態のカメラの主ルーチンを示すフローチャートである。
【図４】本実施形態のカメラの主ルーチンを示すフローチャートである。
【図５】測距・測光処理を説明するためのフローチャートである。
【図６】測距処理を説明するためのフローチャートである。
【図７】撮影処理を説明するためのフローチャートである。
【図８】記録処理を説明するためのフローチャートである。
【図９】充電制御回路、第１の補助光源及び第２の補助光源の回路構成例を示すブロック図である。
【図１０】コントラスト成分と距離との関係を表わす特性図である。
【図１１】補助光電源充電処理を説明するためのフローチャートである。
【符号の説明】
【０１０７】
１０：撮影レンズ
１２：シャッター
１４：撮像素子
１６：Ａ／Ｄ変換器
１８：タイミング発生回路
２０：画像処理回路
２２：メモリ制御回路
２４：画像表示メモリ
２６：Ｄ／Ａ変換器
２８：画像表示部
３０：メモリ
３２：画像圧縮・伸長回路
４０：露光制御手段
４１：レンズ位置検出手段
４２：測距制御手段
４４：ズーム制御手段
４６：バリア制御手段
４７：充電制御回路
４８：第１の補助光源
４９：第２の補助光源
５０：システム制御回路
５２：メモリ
５４：表示部
５６：不揮発性メモリ
６０：モードダイアルスイッチ
６２：シャッタースイッチSW1
６４：シャッタースイッチSW2
６６：画像表示ＯＮ/ＯＦＦスイッチ
６８：クイックレビューＯＮ/ＯＦＦスイッチ
７０：操作部
８０：電源制御手段
８６：電源手段
３０３：トランス
３１４：放電管
３１７〜３２２：白色発光ダイオード
【図１】
2005249960.tif 000003
【図２】
2005249960.tif 000004
【図３】
2005249960.tif 000005
【図４】
2005249960.tif 000006
【図５】
2005249960.tif 000007
【図６】
2005249960.tif 000008
【図７】
2005249960.tif 000009
【図８】
2005249960.tif 000010
【図９】
2005249960.tif 000011
【図１０】
2005249960.tif 000012
【図１１】
2005249960.tif 000013